(57)【要約】【課題】再調整の回数を最小限にしてより短時間で調整を行うことができる光ピックアップの収差調整装置、光ピックアップの収差調整方法、収差調整プログラムおよび収差調整プログラムを格納した記録媒体を提供する。【解決手段】光ディスク装置１において、セットアップ時の液晶パネル８による収差補正値の調整動作を行う際に、一度ＲＡＤ、ＡＳ０、ＡＳ４５、ＴＡＮの調整を行った後に、それらの調整結果のうちブロード（ＲＦ信号値が殆ど変化しない状態）になっている調整項目を検出し、ブロードになっている調整項目を再調整する。【選択図】図６
2010277636.tif 000002
【特許請求の範囲】
【請求項１】
光源と、前記光源から出射された光を光ディスクに照射する対物レンズと、前記対物レンズが前記光ディスクに光を出射する際に発生する収差を補正する液晶素子と、前記光ディスクからの反射光を受光して電気信号を生成する受光手段と、を備えた光ピックアップの収差調整装置において、
前記収差を補正するために前記液晶素子における複数の調整項目の調整を行う調整手段と、
前記調整手段による調整によって前記光ディスクが正しく読み出せるか否かを判断する再生可否判断手段と、
前記再生可否判断手段が前記光ディスクを正しく読み出せないと判断した場合に、前記調整手段が調整した前記複数の調整項目のうち調整範囲内での前記電気信号の変化量が予め定めた所定の範囲内であった調整項目について前記調整手段に再調整を行わせる再調整制御手段と、
を備えたことを特徴とする光ピックアップの収差調整装置。
【請求項２】
前記再調整制御手段が、前記複数の調整項目全てを前記調整手段に再調整させるとともに、前記変化量が予め定めた所定の範囲内であった調整項目は最後に調整させることを特徴とする請求項１に記載の光ピックアップの収差調整装置。
【請求項３】
前記再調整制御手段が、前記調整手段が行った前記電気信号の変化量が予め定めた所定の範囲内であった調整項目が複数あった場合は、前記調整手段が行った前記複数の調整項目の調整値と、予め定めた各調整項目ごとの基準値と、のズレ量を算出し、そのズレ量の大小に応じて前記複数の調整項目を再調整する順番を決定し、前記調整手段に再調整を行わせることを特徴とする請求項１または２に記載の光ピックアップの収差調整装置。
【請求項４】
前記基準値が、標準的な光ディスクにおいて収差が無いとした際の値であることを特徴とする請求項３に記載の光ピックアップの収差調整装置。
【請求項５】
前記基準値が、当該光ディスクの規格における上限値または下限値であることを特徴とする請求項３に記載の光ピックアップの収差調整装置。
【請求項６】
前記液晶素子が、コマ収差、非点収差および球面収差のうち、少なくとも１つ以上の収差を補正するように構成されていることを特徴とする請求項１乃至５のうちいずれか一項に記載の光ピックアップの収差調整装置。
【請求項７】
光源と、前記光源から出射された光を光ディスクに照射する対物レンズと、前記対物レンズが前記光ディスクに光を出射する際に発生する収差を補正する液晶素子と、前記光ディスクからの反射光を受光して電気信号を生成する受光手段と、を備えた光ピックアップの収差調整装置において、
前記収差を補正するために前記液晶素子における複数の調整項目の調整を行う調整手段と、
前記調整手段による調整によって前記光ディスクが正しく読み出せるか否かを判断する再生可否判断手段と、
前記再生可否判断手段が前記光ディスクを正しく読み出せないと判断した場合に、前記調整手段が行った前記複数の調整項目の調整値と、予め定めた各調整項目ごとの基準値と、のズレ量を算出し、そのズレ量の大小に応じて前記複数の調整項目を再調整する順番を決定し、前記調整手段に再調整を行わせる再調整制御手段と、
を備えたことを特徴とする光ピックアップの収差調整装置。
【請求項８】
光源から出射された光を光ディスクに照射するとともに、前記光ディスクに光を出射する際に発生する収差を液晶素子によって補正する光ピックアップの収差調整方法において、
前記収差を補正するために前記液晶素子における複数の調整項目の調整を行い、前記調整によって前記光ディスクが正しく読み出せるか否かを判断して、前記光ディスクが正しく読み出せないと判断した場合に、前記調整した前記複数の調整項目のうち調整範囲内での前記光ピックアップの出力信号の変化量が予め定めた所定の範囲内であった調整項目について再調整を行うことを特徴とする光ピックアップの収差調整方法。
【請求項９】
光源から出射された光を光ディスクに照射するとともに、前記光ディスクに光を出射する際に発生する収差を液晶素子によって補正する光ピックアップの収差調整方法において、
前記収差を補正するために前記液晶素子における複数の調整項目の調整を行い、前記調整によって前記光ディスクが正しく読み出せるか否かを判断して、前記光ディスクが正しく読み出せないと判断した場合に、前記調整した前記複数の調整項目の調整値と、予め定めた各調整項目ごとの基準値と、のズレ量を算出し、そのズレ量の大小に応じて前記複数の調整項目を再調整する順番を決定し、再調整を行うことを特徴とする光ピックアップの収差調整方法。
【請求項１０】
光源と、前記光源から出射された光を光ディスクに照射する対物レンズと、前記対物レンズが前記光ディスクに光を出射する際に発生する収差を補正する液晶素子と、前記光ディスクからの反射光を受光して電気信号を生成する受光手段と、を備えた光ピックアップの収差調整装置のコンピュータを、
前記収差を補正するために前記液晶素子における複数の調整項目の調整を行う調整手段と、
前記調整手段による調整によって前記光ディスクが正しく読み出せるか否かを判断する再生可否判断手段と、
前記再生可否判断手段が前記光ディスクを正しく読み出せないと判断した場合に、前記調整手段が調整した前記複数の調整項目のうち調整範囲内での前記電気信号の変化量が予め定めた所定の範囲内であった調整項目について前記調整手段に再調整を行わせる再調整制御手段と、
して機能させることを特徴とする収差調整プログラム。
【請求項１１】
光源と、前記光源から出射された光を光ディスクに照射する対物レンズと、前記対物レンズが前記光ディスクに光を出射する際に発生する収差を補正する液晶素子と、前記光ディスクからの反射光を受光して電気信号を生成する受光手段と、を備えた光ピックアップの収差調整装置のコンピュータを、
前記収差を補正するために前記液晶素子における複数の調整項目の調整を行う調整手段と、
前記調整手段による調整によって前記光ディスクが正しく読み出せるか否かを判断する再生可否判断手段と、
前記再生可否判断手段が前記光ディスクが正しく読み出せないと判断した場合に、前記調整手段が行った前記複数の調整項目の調整値と、予め定めた各調整項目ごとの基準値と、のズレ量を算出し、そのズレ量の大小に応じて前記複数の調整項目を再調整する順番を決定し、前記調整手段に再調整を行わせる再調整制御手段と、
して機能させることを特徴とする収差調整プログラム。
【請求項１２】
請求項１０または１１に記載の収差調整プログラムを格納したことを特徴とするコンピュータ読み取り可能な記録媒体。
【発明の詳細な説明】
【技術分野】
【０００１】
本発明は、光ディスクに光を照射する際に発生する収差を補正する液晶素子を備えた光ピックアップの収差調整装置、光ピックアップの収差調整方法、収差調整プログラムおよび収差調整プログラムを格納した記録媒体に関する。
【背景技術】
【０００２】
光ディスク装置に光ディスクを挿入し再生などを行う際、正確なデータの読取りを行うためには、光ディスク上に照射されるレーザ光が光ディスクに対して垂直であり、光ディスク上に形成されたピットに対して焦点が合っていることが必要である。このとき、読取り品質を向上させるため、光ディスク装置は、レーザ光の光束を調節して、コマ収差、球面収差、非点収差などの収差を補正している。
【０００３】
これらの収差を補正するために、液晶素子が用いられることがある。液晶素子は、レーザ光の照射光路上に設置され、電極パターンにより光の屈折率を変化させて様々な収差を補正することができる（例えば、特許文献１を参照）。
【０００４】
図１に液晶素子の構成を示す。液晶素子３０は、ガラス基板３１、３２と、透明電極３３、３４と、液晶３５とを備え、液晶３５が透明電極３３、３４の間に設けられているとともに、透明電極３３、３４がガラス基板３１、３２の間に設けられている。
【０００５】
透明電極３３は、例えば図２に示すようなパターンに分割されて電極が構成されている。図２では円環状の領域を８つに区切った電極３３ａ〜３３ｈと、円環状の領域の内周円を３分割した電極３３ｉ〜３３ｋと、で構成している。
【０００６】
透明電極３３によって、例えば、光ディスクのチルトによって発生するコマ収差を補正する場合は、図３、図４に示すように電極３３ａ〜３３ｄと電極３３ｉに電圧１、電極３３ｅ〜３３ｈと電極３３ｋに電圧１とは逆極性の電圧２を印加することで、図４の点線で示したような波面を、実線で示すようなフラットに近い波面にしてコマ収差を補正している。
【０００７】
また、透明電極３４は、透明電極３３の電極パターンを９０度回転させたパターンが構成されている。この透明電極３４は、透明電極３３がコマ収差のラジアル方向の調整を行うように取り付けられた場合は、タンジェンシャル方向の調整を行うことができる。
【先行技術文献】
【特許文献】
【０００８】
【特許文献１】特開２００９−７０５３４号公報
【発明の概要】
【発明が解決しようとする課題】
【０００９】
上述した構成の液晶素子３０の調整の一例を図５のグラフを参照して説明する。図５は液晶素子３０の調整項目としてラジアル方向（ＲＡＤ）とタンジェンシャル方向（ＴＡＮ）のｓｔｅｐ特性を示した表である。１ｓｔｅｐは電圧の変化量を示し調整範囲として＋９〜―９までの１９ｓｔｅｐとしている。表中の数値は光ピックアップの出力信号であるＲＦ信号のレベルである。つまり、このＲＦ信号のレベルが最大値となる位置にＲＡＤおよびＴＡＮを調整すると最適値となる。
【００１０】
ここで、ＲＡＤを先に調整する場合で説明すると、ＲＡＤの調整はＴＡＮのｓｔｅｐがデフォルト値（中央値）である０の列におけるＲＦ信号レベルが最大のＲＡＤを検索する。この際、ＴＡＮのｓｔｅｐが０の列ではすべてＲＦ信号レベルが１０であるので最大値が検索できない。そのため、ＲＡＤのｓｔｅｐはデフォルト値（中央値）である０が選択される。次に、ＴＡＮの調整はＲＡＤのｓｔｅｐが０の行におけるＲＦ信号レベルが最大のｓｔｅｐを検索し、＋８のときのＲＦ信号レベル１５５が最大値として検出される。よって、この調整では、ＲＡＤのｓｔｅｐが０、ＴＡＮのｓｔｅｐが＋８との調整結果が得られる。
【００１１】
しかしながら、図５の表ではＲＡＤのｓｔｅｐが−４、ＴＡＮのｓｔｅｐが＋８のときのＲＦ信号レベルである１９０が最大値（最適値）であるので、上述した調整では最適な調整は行われていないこととなる。図５の場合は、ＴＡＮを先に調整することで、この最適値を得ることができる。
【００１２】
このように、液晶素子の収差補正においては、調整する調整項目の順序によっては最適値を得ることができないことがあり、従来は、このような調整項目の調整順序は固定されていたので、最適値に調整することが困難となることや、調整の結果当該ディスクが読めなくなることがあり、再調整を何度も繰り返すことがあった。特に、図５で示したように、後に調整する調整項目が前に調整する調整項目に影響する場合には、前に調整する調整項目が最適値とならないことがあった。図５の場合はコマ収差のみであるが、これに非点収差や球面収差の調整項目も加わると、再調整時間や再調整回数も増加してしまい、セットアップ時間の増加を招いてしまうという問題があった。
【００１３】
また、上述した各調整項目の調整順序はディスクの種別によっても異なることがあり、複数のディスク種別へ対応した際には、ディスク種別によっては再調整を何度も繰り返してしまうという虞もある。
【００１４】
そこで、本発明は、例えば再調整の回数を最小限にしてより短時間で調整を行うことができる光ピックアップの収差調整装置、光ピックアップの収差調整方法、収差調整プログラムおよび収差調整プログラムを格納した記録媒体を提供することを課題とする。
【課題を解決するための手段】
【００１５】
上記課題を解決するために、請求項１に記載の光ピックアップの収差調整装置は、光源と、前記光源から出射された光を光ディスクに照射する対物レンズと、前記対物レンズが前記光ディスクに光を出射する際に発生する収差を補正する液晶素子と、前記光ディスクからの反射光を受光して電気信号を生成する受光手段と、を備えた光ピックアップの収差調整装置において、前記収差を補正するために前記液晶素子における複数の調整項目の調整を行う調整手段と、前記調整手段による調整によって前記光ディスクが正しく読み出せるか否かを判断する再生可否判断手段と、前記再生可否判断手段が前記光ディスクを正しく読み出せないと判断した場合に、前記調整手段が調整した前記複数の調整項目のうち調整範囲内での前記電気信号の変化量が予め定めた所定の範囲内であった調整項目について前記調整手段に再調整を行わせる再調整制御手段と、を備えたことを特徴としている。
【００１６】
請求項７に記載の光ピックアップの収差調整装置は、光源と、前記光源から出射された光を光ディスクに照射する対物レンズと、前記対物レンズが前記光ディスクに光を出射する際に発生する収差を補正する液晶素子と、前記光ディスクからの反射光を受光して電気信号を生成する受光手段と、を備えた光ピックアップの収差調整装置において、前記収差を補正するために前記液晶素子における複数の調整項目の調整を行う調整手段と、前記調整手段による調整によって前記光ディスクが正しく読み出せるか否かを判断する再生可否判断手段と、前記再生可否判断手段が前記光ディスクを正しく読み出せないと判断した場合に、前記調整手段が行った前記複数の調整項目の調整値と、予め定めた各調整項目ごとの基準値と、のズレ量を算出し、そのズレ量の大小に応じて前記複数の調整項目を再調整する順番を決定し、前記調整手段に再調整を行わせる再調整制御手段と、を備えたことを特徴としている。
【００１７】
請求項８に記載の光ピックアップの収差調整方法は、光源から出射された光を光ディスクに照射するとともに、前記光ディスクに光を出射する際に発生する収差を液晶素子によって補正する光ピックアップの収差調整方法において、前記収差を補正するために前記液晶素子における複数の調整項目の調整を行い、前記調整によって前記光ディスクが正しく読み出せるか否かを判断して、前記光ディスクが正しく読み出せないと判断した場合に、前記調整した前記複数の調整項目のうち調整範囲内での前記光ピックアップの出力信号の変化量が予め定めた所定の範囲内であった調整項目について再調整を行うことを特徴としている。
【００１８】
請求項９に記載の光ピックアップの収差調整方法は、光源から出射された光を光ディスクに照射するとともに、前記光ディスクに光を出射する際に発生する収差を液晶素子によって補正する光ピックアップの収差調整方法において、前記収差を補正するために前記液晶素子における複数の調整項目の調整を行い、前記調整によって前記光ディスクが正しく読み出せるか否かを判断して、前記光ディスクが正しく読み出せないと判断した場合に、前記調整した前記複数の調整項目の調整値と、予め定めた各調整項目ごとの基準値と、のズレ量を算出し、そのズレ量の大小に応じて前記複数の調整項目を再調整する順番を決定し、再調整を行うことを特徴としている。
【００１９】
請求項１０に記載の収差調整プログラムは、光源と、前記光源から出射された光を光ディスクに照射する対物レンズと、前記対物レンズが前記光ディスクに光を出射する際に発生する収差を補正する液晶素子と、前記光ディスクからの反射光を受光して電気信号を生成する受光手段と、を備えた光ピックアップの収差調整装置のコンピュータを、前記収差を補正するために前記液晶素子における複数の調整項目の調整を行う調整手段と、前記調整手段による調整によって前記光ディスクが正しく読み出せるか否かを判断する再生可否判断手段と、前記再生可否判断手段が前記光ディスクを正しく読み出せないと判断した場合に、前記調整手段が調整した前記複数の調整項目のうち調整範囲内での前記電気信号の変化量が予め定めた所定の範囲内であった調整項目について前記調整手段に再調整を行わせる再調整制御手段と、して機能させることを特徴としている。
【００２０】
請求項１１に記載の収差調整プログラムは、光源と、前記光源から出射された光を光ディスクに照射する対物レンズと、前記対物レンズが前記光ディスクに光を出射する際に発生する収差を補正する液晶素子と、前記光ディスクからの反射光を受光して電気信号を生成する受光手段と、を備えた光ピックアップの収差調整装置のコンピュータを、前記収差を補正するために前記液晶素子における複数の調整項目の調整を行う調整手段と、前記調整手段による調整によって前記光ディスクが正しく読み出せるか否かを判断する再生可否判断手段と、前記再生可否判断手段が前記光ディスクが正しく読み出せないと判断した場合に、前記調整手段が行った前記複数の調整項目の調整値と、予め定めた各調整項目ごとの基準値と、のズレ量を算出し、そのズレ量の大小に応じて前記複数の調整項目を再調整する順番を決定し、前記調整手段に再調整を行わせる再調整制御手段と、して機能させることを特徴としている。
【図面の簡単な説明】
【００２１】
【図１】従来の光ピックアップの収差を補正する液晶素子の構造図である。
【図２】図１に示された液晶素子の電極の構成を示した平面図である。
【図３】図２に示された電極のコマ収差を補正する際の電圧の印加状態を示した平面図である。
【図４】図３に示された電極によってコマ収差が補正されることを示す説明図である。
【図５】図１に示された液晶素子でコマ収差を補正する際のＴＡＮとＲＡＤのＳｔｅｐ特性を示した表である。
【図６】本発明の第１の実施例にかかる光ディスク装置のブロック図である。
【図７】図６に示された液晶素子の構造図である。
【図８】図７に示された液晶素子の電極の構成を示した平面図である。
【図９】図８に示された電極のコマ収差を補正する際の電圧の印加状態を示した平面図である。
【図１０】図９に示された電極によってコマ収差が補正されることを示す説明図である。
【図１１】図６に示された光ディスク装置におけるセットアップ動作を示すフローチャートの一の部分である。
【図１２】図６に示された光ディスク装置におけるセットアップ動作を示すフローチャートの他の部分である。
【図１３】本発明の第２の実施例にかかる光ディスク装置におけるセットアップ動作を示すフローチャートの他の部分である。
【図１４】本発明の第３の実施例にかかる光ディスク装置におけるセットアップ動作を示すフローチャートの他の部分である。
【図１５】液晶パネルで球面収差を補正する際の電極の構成を示した平面図である。
【図１６】図１５に示された電極によって球面収差が補正されることを示す説明図である。
【発明を実施するための形態】
【００２２】
以下、本発明の一実施形態にかかる光ピックアップの収差調整装置を説明する。本発明の一実施形態にかかる光ピックアップの収差調整装置は、調整手段が収差を補正するために液晶素子における複数の調整項目の調整を行い、調整手段による調整によって光ディスクが正しく読み出せるか否かを再生可否判断手段が判断して、再生可否判断手段が光ディスクを正しく読み出せないと判断した場合に、調整手段が調整した複数の調整項目のうち調整範囲内での電気信号の変化量が予め定めた所定の範囲内であった調整項目について再調整を行うので、調整時に電気信号の値が殆ど変化しない場合は調整の最適値が得られていない信憑性が低い調整であると判断することができ、その調整項目の調整を再度行うことで、全ての調整項目の再調整を行うよりも再調整の回数を最小限にしてより短時間で調整を行うことができる。
【００２３】
また、再調整制御手段が、複数の調整項目の全てを調整手段に調整させるとともに、変化量が予め定めた所定の範囲内であった調整項目は最後に調整させてもよい。このようにすることにより、調整の信憑性の高い調整項目を先に再調整した後に信憑性の低い調整項目を再調整するので、信憑性の高い調整項目が信憑性の低い調整項目に影響されること無く再調整することができ、再調整の回数を最小限にすることができる。
【００２４】
また、再調整制御手段が、調整手段が行った電気信号の変化量が予め定めた所定の範囲内であった調整項目が複数あった場合は、調整手段が行った複数の調整項目の調整値と、予め定めた各調整項目ごとの基準値と、のズレ量を算出し、そのズレ量の大小に応じて調整項目を再調整する順番を決定し、調整手段に再調整を行わせてもよい。このようにすることにより、最適値から遠い調整となっている順に再調整を行うことができるので、他の調整項目が最適値からずれていることによる影響を少なくして、再調整の回数を最小限にすることができる。
【００２５】
また、基準値が、標準的な光ディスクにおいて収差が無いとした際の値であってもよい。このようにすることにより、ズレ量の大きい順に再調整を行うことで再調整の回数を最小限にすることができる。
【００２６】
また、基準値が、当該光ディスクの規格における上限値または下限値であってもよい。このようにすることにより、ズレ量の小さい順に再調整を行うことで再調整の回数を最小限にすることができる。
【００２７】
また、液晶素子が、コマ収差、非点収差および球面収差のうち、少なくとも１つ以上の収差を補正するように構成されていてもよい。このようにすることにより、これらの収差を補正する調整動作において再調整の回数を最小限にしてより短時間で調整を行うことができる。
【００２８】
また、調整手段が収差を補正するために液晶素子における複数の調整項目の調整を行い、調整手段による調整によって光ディスクが正しく読み出せるか否かを再生可否判断手段が判断して、再生可否判断手段が光ディスクが正しく読み出せないと判断した場合に、調整手段が行った複数の調整項目の調整値と、予め定めた各調整項目ごと基準値と、のズレ量を算出し、そのズレ量の大小に応じて調整項目を再調整する順番を決定し、調整手段に再調整を行わせてもよい。このようにすることにより、最適値から遠い調整となっている順に再調整を行うことができるので、他の調整項目が最適値からずれていることによる影響を少なくして、再調整の回数を最小限にすることができる。
【００２９】
また、本発明の一実施形態にかかる光ピックアップの収差調整方法は、収差を補正するために液晶素子における複数の調整項目の調整を行い、その調整によって光ディスクが正しく読み出せるか否かを判断して、光ディスクが正しく読み出せないと判断した場合に、調整した複数の調整項目のうち調整範囲内での電気信号の変化量が予め定めた所定の範囲内であった調整項目について再調整を行うので、調整時に電気信号の値が殆ど変化しない場合は調整の最適値が得られていない信憑性が低い調整であると判断することができ、その調整項目の調整を再度行うことで、全ての調整項目の再調整を行うよりも再調整の回数を最小限にしてより短時間で調整を行うことができる。
【００３０】
また、収差を補正するために液晶素子における複数の調整項目の調整を行い、その調整によって光ディスクが正しく読み出せるか否かを判断して、光ディスクが正しく読み出せないと判断した場合に、複数の調整項目の調整値と、予め定めた各調整項目ごと基準値と、のズレ量を算出し、そのズレ量の大小に応じて調整項目を再調整する順番を決定し、再調整を行ってもよい。このようにすることにより、最適値から遠い調整となっている順に再調整を行うことができるので、他の調整項目が最適値からずれていることによる影響を少なくして、再調整の回数を最小限にすることができる。
【００３１】
また、本発明の一実施形態にかかる収差調整プログラムは、調整手段が収差を補正するために液晶素子における複数の調整項目の調整を行い、調整手段による調整によって光ディスクが正しく読み出せるか否かを再生可否判断手段が判断して、再生可否判断手段が光ディスクを正しく読み出せないと判断した場合に、調整手段が調整した複数の調整項目のうち調整範囲内での電気信号の変化量が予め定めた所定の範囲内であった調整項目について再調整を行うので、調整時に電気信号の値が殆ど変化しない場合は調整の最適値が得られていない信憑性が低い調整であると判断することができ、その調整項目の調整を再度行うことで、全ての調整項目の再調整を行うよりも再調整の回数を最小限にしてより短時間で調整を行うことができる。
【００３２】
また、調整手段が収差を補正するために液晶素子における複数の調整項目の調整を行い、調整手段による調整によって光ディスクが正しく読み出せるか否かを再生可否判断手段が判断して、再生可否判断手段が光ディスクが正しく読み出せないと判断した場合に、調整手段が行った複数の調整項目の調整値と、予め定めた各調整項目ごと基準値と、のズレ量を算出し、そのズレ量の大小に応じて調整項目を再調整する順番を決定し、調整手段に再調整を行わせてもよい。このようにすることにより、最適値から遠い調整となっている順に再調整を行うことができるので、他の調整項目が最適値からずれていることによる影響を少なくして、再調整の回数を最小限にすることができる。
【００３３】
また、上述した収差補正プログラムをコンピュータ読み取り可能な記録媒体に格納してもよい。このようにすることにより、記録媒体再生プログラムを機器に組み込む以外に単体でも流通させることができ、バージョンアップ等も容易に行える。
【実施例１】
【００３４】
本発明の第１の実施例にかかる光ピックアップの収差調整装置としての光ディスク装置１を図６乃至図１２を参照して説明する。光ディスク装置１は、ＣＤ（Compact Disc）、ＤＶＤ（Digital Versatile Disc）、ＢＤ（Blu-ray Disc）が読み取りまたは書き込み可能な装置であり、図６に示すようにスピンドルモータ２と、光ピックアップ３と、ＲＦＡＭＰ１５と、サーボＤＳＰ１６と、ドライバＩＣ１７と、キャリッジモータ１８と、マイコン１９と、を備えている。
【００３５】
スピンドルモータ２は、光ディスク装置１にセットされた光ディスク２０を保持して回転させるためのモータであり、ブラシモータあるいはブラシレスモータが使用される。
【００３６】
光ピックアップ３は、光源４、受光素子５、マルチレンズ６、偏光ビームスプリッタ７、液晶パネル８、ビームエキスパンダ９、ステッピングモータ１０、立ち上げミラー１１、対物レンズ１２、ＬＤドライバ１３、液晶ドライバ１４、を備え、光ディスク２０にレーザ光を照射し、その反射光（戻り光）を受光して、電気信号に変換してＲＦＡＭＰ１５に出力する。
【００３７】
光源４は、ＢＤ、ＣＤ、ＤＶＤそれぞれ対応した波長のレーザ光を出射するためのレーザダイオードを有している。
【００３８】
受光手段としての受光素子５は、光ディスク２０の記録面が反射したレーザ光（戻り光）を受光する。受光素子５は、受光したレーザ光に応じた電気信号を生成してＲＦＡＭＰ１５に出力する。
【００３９】
マルチレンズ６は、受光素子５の近傍に配置され、受光素子５に光が正しく集光できるように非点収差を与えるレンズである。マルチレンズ６は、光ピックアップ３製造時に調整可能とするために光軸方向に動かすことができるようになっている。
【００４０】
偏光ビームスプリッタ７は、液晶パネル８からの戻り光をマルチレンズ６に向かって反射するとともに、光源４から出射されたレーザ光を透過して液晶パネル８に向かって出力する。
【００４１】
液晶素子としての液晶パネル８は、偏光ビームスプリッタ７とビームエキスパンダ９との間に配置され、電極パターンにより光の屈折率を変化させて様々な収差を補正する。液晶パネル８の構成を示した断面図を図７に示す。図７のＸ方向は光軸と鉛直な方向を示し、Ｙ方向は光軸と平行な方向を示している。液晶パネル８は、図７に示すようにガラス基板８１、８２と、透明電極８３、８４と、液晶８５と、を備え、液晶８５が透明電極８３、８４の間に設けられているとともに、透明電極８３、８４がガラス基板８１、８２の間に設けられている。
【００４２】
透明電極８３は、図８に示すようなパターンに分割されて電極が構成されている。図８では円環状の領域を８つに区切った電極８３ａ〜８３ｈと、円環状の領域の内周円を３分割した電極８３ｉ〜８３ｋと、で構成されている。
【００４３】
透明電極８３によって、例えば、光ディスク２０のチルトによって発生するコマ収差を補正する場合は、図９、図１０に示すように電極８３ａ〜８３ｄと電極８３ｉに電圧１、電極８３ｅ〜８３ｈと電極８３ｋに電圧１とは逆極性の電圧２を印加することで、図１０の点線で示したような波面を、実線で示すようなフラットに近い波面としてコマ収差を補正することができる。
【００４４】
また、透明電極８４は、透明電極８３の電極パターンを９０度回転させたパターンが構成されている。この透明電極８４は、透明電極８３がコマ収差のラジアル方向の調整を行うように取り付けられた場合は、タンジェンシャル方向の調整を行うことができる。
【００４５】
ビームエキスパンダ９は、液晶パネル８と立ち上げミラー１１との間に配置され、かつ後述するステッピングモータ１０によって図６の光軸方向すなわち光源４と接離する方向（近づいたり離れたりする方向）に移動自在となっている。また、ビームエキスパンダ９は、液晶パネル８からのレーザ光を拡散光から平行光に変換して立ち上げミラー１１に向かって出射するとともに、立ち上げミラー１１から入射した戻り光を液晶パネル８に向かって出射する。
【００４６】
ステッピングモータ１０は、ビームエキスパンダ９を光軸方向すなわち光源４と接離する方向に移動させる。ビームエキスパンダ９は、ステッピングモータ１０に移動されることによって、光ディスク２０の厚さのバラツキに対する光ピックアップ３の信号読み取り能力を向上させることができる。
【００４７】
立ち上げミラー１１は、ビームエキスパンダ９から入射したレーザ光を対物レンズ１２に向かって全反射する（光路の角度を変更する）とともに、対物レンズ１２からのレーザ光をビームエキスパンダ９に向かって全反射する（光路の角度を変更する）。
【００４８】
対物レンズ１２は、立ち上げミラーから入射したレーザ光を集光して光ディスク２０の信号面との焦点を合わせて、記録されている情報を読み取る。すなわち、戻り光を立ち上げミラー１１に出力する。
【００４９】
ＬＤドライバ１３は、後述するマイコン１９からのコントロールにより、光源４のＯＮ／ＯＦＦ制御や、図示しないＰＤ（フォトディテクタ）やＭＬＤ（モニタダイオード）と組み合わせて、レーザパワーを一定に保つ制御を行う。なお、ＬＤドライバ１３は光ピックアップ３の外にあっても良い。
【００５０】
液晶ドライバ１４は、マイコン１９からのコントロールにより液晶パネル８の各電極の電位差、位相差を変更する。なお、液晶ドライバ１４も光ピックアップ３の外にあっても良い。
【００５１】
受光手段としてのＲＦＡＭＰ１５は、演算回路、アンプ、イコライザ回路等を有し、光ピックアップ３が出力した信号を受けて、フォーカスエラー信号、トラッキングエラー信号といったサーボ制御用の信号と、光ディスク内に記録されている情報をデコードするための電気信号としてのＲＦ信号を生成する。
【００５２】
サーボＤＳＰ１６は、サーボ系のＡ／Ｄ変換回路、ＤＳＰ（デジタル信号処理回路）、イコライザ回路、Ｄ／Ａ変換回路等を有し、サーボ制御用信号と、マイコン１９からの指令を受けて光ピックアップ３のレンズ駆動（フォーカス駆動、トラッキング駆動)、キャリッジ駆動、スピンドル駆動、ビームエキスパンダ駆動、フォーカスＪＵＭＰ、トラックＪＵＭＰ、等の制御を行うサーボの各種調整を実施し、最適なサーボ追従が出来るように制御信号をドライバＩＣ１７に出力する。また、サーボＤＳＰ１６は、ＲＦ信号のＪＩＴ値を読み取る機能を有する場合もある。ＪＩＴ値とは、時間的な揺らぎのレベルを示す値であり、ＪＩＴ値が小さいほどプレイアビリティが高くなる。
【００５３】
ドライバＩＣ１７は、サーボＤＳＰ１６から出力された制御信号を増幅して、光ピックアップ３、スピンドルモータ２、キャリッジモータ１８等に出力する。
【００５４】
キャリッジモータ１８は、出力軸に取り付けられたリードスクリューを通じて光ピックアップ３を光ディスク２０の径方向に移動させるためのモータでありステッピングモータなどで構成されている。
【００５５】
調整手段、再生可否判断手段、再調整制御手段としてのマイコン１９は、ＣＰＵ（Central Processing Unit）と、ＲＡＭ（Random Access Memory）と、ＲＯＭ（Read Only Memory）等を内蔵し、光ディスク２０の挿入や排出、読み取りや停止などの各操作における光ディスク装置１全体の制御など行う。また、本実施例においては、液晶パネル８の調整および調整値の保持も行う。
【００５６】
次に、上述した構成の光ディスク装置におけるセットアップ動作について図１１および図１２のフローチャートを参照して説明する。図１１および図１２のフローチャートはマイコン１９で実行される。
【００５７】
まず、ステップＳ１において、図示しないマイコン１９に接続されているＥＥＰＲＯＭに記憶されているデータをマイコン１９内のＲＡＭに格納しステップＳ２へ進む。
【００５８】
次に、ステップＳ２において、セットされたディスクの種別（ＣＤ、ＤＶＤ、ＢＤのいずれか）の判別を行ってステップＳ３に進む。ディスクの種別は、所定の波長のレーザ光を照射して、その反射光から得られた電気信号（例えばフォーカスエラー信号やＲＦ信号等）の振幅の大きさによって判定する。
【００５９】
次に、ステップＳ３において、ステップＳ２で判別されたディスク種別に応じた液晶パネル８の初期電圧を設定してステップＳ４に進む。
【００６０】
次に、ステップＳ４において、ディスクを再生するために必要なゲイン値などの各設定値の初期設定を行ってステップＳ５に進む。
【００６１】
次に、ステップＳ５において、スピンドルモータ２を動作させて光ディスク２０を回転させてステップＳ６に進む。
【００６２】
次に、ステップＳ６において、光源４（ＬＤ）をＯＮしステップＳ７に進む。
【００６３】
次に、ステップＳ７において、フォーカスサーボを引き込んで（ＦＣＳ  ＯＮ）、以降フォーカスサーボを動作させてステップＳ８に進む。
【００６４】
次に、ステップＳ８において、フォーカスバランス（ＦＢＡＬ）の調整を行ってステップＳ９に進む。フォーカスバランスとは、フォーカスエラー信号のＳカーブにおける基準電位よりプラス側の振幅とマイナス側の振幅とが略同じになるように調整することである。
【００６５】
次に、ステップＳ９において、コリメータ精調整を行いステップＳ１０に進む。コリメータ精調整とは、ステッピングモータ１０を動作させてビームエキスパンダ９（コリメータレンズともいう）を光軸方向に移動させて、光ディスク２０の厚さのバラツキに対する光ピックアップ３の信号読み取り能力を向上させるように調整することである。
【００６６】
次に、ステップＳ１０において、トラッキングサーボをＯＮ（Ｔ  ＯＮ）して光ディスク２０のトラックへの追従を開始してステップＳ１１に進む。
【００６７】
次に、ステップＳ１１において、ディスクチルトによるコマ収差補正の調整項目のうちラジアル方向の調整（ＲＡＤ調整）を行ってステップＳ１２に進む。ここで、ラジアル方向とは光ディスク２０が装填された際の半径方向とする。この調整項目では、上述した液晶パネル８の透明電極８３に印加する電圧１、２を予め定めた所定の範囲で変化させて光ディスク２０から反射された反射光から生成されるＲＦ信号の振幅が最も大きい電圧を検出している。
【００６８】
次に、ステップＳ１２において、フォーカスバランス（ＦＢＡＬ）の調整をしてステップＳ１３に進む。本ステップはＲＡＤ調整の結果を受けてステップＳ８と同様の調整を再度行っている。
【００６９】
次に、ステップＳ１３において、コリメータ精調整を行いステップＳ１４に進む。本ステップはＲＡＤ調整の結果を受けてステップＳ９と同様の調整を再度行っている。
【００７０】
次に、ステップＳ１４において、非点収差の調整項目のうち０度成分の調整（ＡＳ０調整）を行ってステップＳ１５に進む。この調整項目の調整方法は、液晶パネル８の透明電極８３の電極８３ａ、８３ｄ、８３ｅ、８３ｈに電圧３を印加し、電極８３ｂ、８３ｃ、８３ｆ、８３ｇに電圧４を印加して、これら電圧３、４を予め定めた所定の範囲で変化させて最も光ディスク２０から反射された反射光から生成されるＲＦ信号の振幅が最も大きい電圧を検出する。
【００７１】
次に、ステップＳ１５において、非点収差の調整項目のうち４５度成分の調整（ＡＳ４５調整）を行ってステップＳ１６に進む。この調整項目の調整方法は、液晶パネル８の透明電極８３の電極８３ａ、８３ｂ、８３ｅ、８３ｆに電圧３を印加し、電極８３ｃ、８３ｄ、８３ｇ、８３ｈに電圧４を印加して、これら電圧３、４を予め定めた所定の範囲で変化させて最も光ディスク２０から反射された反射光から生成されるＲＦ信号の振幅が最も大きい電圧を検出する。
【００７２】
次に、ステップＳ１６において、フォーカスバランス（ＦＢＡＬ）の調整をしてステップＳ１７に進む。本ステップはＡＳ０調整、ＡＳ４５調整の結果を受けてステップＳ８と同様の調整を再度行っている。
【００７３】
次に、ステップＳ１７において、コリメータ精調整を行いステップＳ１８に進む。本ステップはＡＳ０調整、ＡＳ４５調整の結果を受けてステップＳ９と同様の調整を再度行っている。
【００７４】
次に、ステップＳ１８において、ディスクチルトによるコマ収差の調整項目のうちタンジェンシャル方向の調整（ＴＡＮ調整）を行う。ここで、タンジェンシャル方向とはラジアル方向の接線方向（ラジアル方向と直交する方向）を示している。この調整項目の内容はステップＳ１１と同様であるが、使用する電極は、透明電極８３に対して９０度回転させて電極が設けられている透明電極８４を使用して行う。
【００７５】
次に、ステップＳ１９において、トラッキングサーボをＯＦＦ（Ｔ  ＯＦＦ）してステップＳ２０に進む。
【００７６】
次に、ステップＳ２０において、トラッキングバランス（Ｔ  ＢＡＬ）の調整を行いステップＳ２１に進む。トラッキングバランスとは、フォーカスバランスと同様にトラッキングエラー信号のＳカーブにおける基準電位よりプラス側の振幅とマイナス側の振幅とを略同じになるように調整することである。
【００７７】
次に、ステップＳ２１において、トラッキングサーボを再度ＯＮしステップＳ２２に進む。
【００７８】
次に、ステップＳ２２において、トラッキングやフォーカスのゲイン調整を行いステップＳ２３に進む。
【００７９】
次に、ステップＳ２３において、光ディスク２０に記録されているＩＤを取得してステップＳ２４に進む。このＩＤは、光ディスク２０の管理領域などに記録されており、この情報を読み取ることで、光ディスク２０に記録されている情報が読み取れるかを判断することができる。
【００８０】
次に、ステップＳ２４において、ステップＳ２３でＩＤが取得できたか否かを判断して、ＩＤが取得できた場合（ＹＥＳの場合）はステップＳ２５に進み、ＩＤが取得できなかった場合（ＮＯの場合）はステップＳ２６に進む。
【００８１】
次に、ステップＳ２５において、再セットアップ時の高速化のために液晶パネル８の各調整項目（ＲＡＤ、ＡＳ１、ＡＳ４５、ＴＡＮ）における調整結果をＲＡＭ等に保存してセットアップを終了し再生がスタートする。
【００８２】
一方、ステップＳ２６においては、ＲＡＤ調整の時のＲＦ値がブロードになっているか検出してステップＳ２７に進む。ここで、ブロードとは、例えば図５のＴＡＮ  Ｓｔｅｐ特性で−９〜０の列のように、ＲＡＤの調整範囲である＋９〜−９まで変化させてもＲＦ信号のレベル（値）が変化しないか小さい変化量であるような状態を指す。なお、ブロードと判定する変化量の範囲は予め適宜設定すればよい。すなわち、調整手段が調整した複数の調整項目のうち調整範囲内での電気信号の変化量が予め定めた所定の範囲内であった調整項目を検出している。
【００８３】
次に、ステップＳ２７において、ＡＳ０調整の時のＲＦ値がブロードになっているか検出してステップＳ２８に進む。
【００８４】
次に、ステップＳ２８において、ＡＳ４５調整の時のＲＦ値がブロードになっているか検出してステップＳ２９に進む。
【００８５】
次に、ステップＳ２９において、ＴＡＮ調整の時のＲＦ値がブロードになっているか検出してステップＳ３０に進む。
【００８６】
次に、ステップＳ３０において、ブロードになっている調整項目が複数あるか否かを判断して、複数ある場合（ＹＥＳの場合）はステップＳ３１に進み、そうでない場合（ＮＯの場合）はステップＳ３３に進む。すなわち、ステップＳ２６〜Ｓ２９における検出の結果複数ステップにおいてブロードが検出されたか否かを判断する。
【００８７】
次に、ステップＳ３１において、ブロードになっている調整項目について調整ズレ率を算出してステップＳ３２に進む。調整ズレ率とは、予め設定した基準値から上述した各ステップで調整した調整項目の調整結果がどの程度ずれているかを示す値であり、以下に示す式１〜式４によって求められる。すなわち、調整手段が行った複数の調整項目の調整値と、予め定めた各調整項目ごとの基準値と、のズレ量を算出している。
【００８８】
ＲＡＤズレ率＝（ＲＡＤ調整結果−ＲＡＤ閾値）／ＲＡＤ閾値・・・・・（式１）
ＡＳ０ズレ率＝（ＡＳ０調整結果−ＡＳ０閾値）／ＡＳ０閾値・・・・・（式２）
ＡＳ４５ズレ率＝（ＡＳ４５調整結果−ＡＳ４５閾値）／ＡＳ４５閾値・（式３）
ＴＡＮズレ率＝（ＴＡＮ調整結果−ＴＡＮ閾値）／ＴＡＮ閾値・・・・・（式４）
【００８９】
前記した式１〜式４のうち、ＲＡＤ閾値、ＡＳ０閾値、ＡＳ４５閾値、ＴＡＮ閾値は、予め設定した基準値であり、本実施例では、標準的な光ディスクにおいて収差が無いとした際に得られる値（当該光ディスク規格における中央値）としている。つまり、式１〜式４の算出結果（調整ズレ率）が大きいほど、標準的な状態（理想状態）からずれていると言える。
【００９０】
フローチャートに戻ってステップＳ３２において、ブロードと検出された調整項目のうち、調整ズレ率の大きい項目から順に再調整を行ってステップＳ２３に戻る。すなわち、標準的な状態から大きくずれている項目から調整をやり直す。すなわち、ズレ量の大小に応じて複数の調整項目を再調整する順番を決定し、調整手段に再調整を行わせている。
【００９１】
ステップＳ３３においては、ブロードと検出された調整項目のみを再調整してステップＳ２３に戻る。
【００９２】
本実施例によれば、光ディスク装置１において、セットアップ時の液晶パネル８による収差補正値の調整動作を行う際に、一度ＲＡＤ、ＡＳ０、ＡＳ４５、ＴＡＮの調整を行った後に、それらの調整結果のうちブロードになっている調整項目を検出し、ブロードになっている調整項目を再調整しているので、ブロードになっている、すなわち、ＲＦレベルが殆ど変化しないような調整は信憑性が低い調整と判断して再調整することができる。また、この際にブロードでない調整項目は再調整しないので、再調整に要する時間を短縮することができ、ブロードでない調整項目の結果を踏まえた再調整をするので、再調整の回数を最小限にし、プレイアビリティの向上を図ることができる。
【００９３】
また、ブロードになっている調整項目が複数ある場合は、それらの項目について調整ズレ率を算出して、ズレ率の大きい項目から再調整を行っているので、ブロードになっている調整項目のうち最適値から遠い調整となっている順に再調整を行うことができるので、他の調整項目が最適値からずれていることによる影響を少なくして、再調整の回数を最小限にし、プレイアビリティの向上を図ることができる。
【００９４】
また、予め設定する基準値としての閾値が、標準的な光ディスクにおいて収差が無いとした際の値であるので、ズレ量の大きい順に再調整を行うことで再調整の回数を最小限にすることができる。
【００９５】
なお、予め設定する基準値としての閾値は、標準的な光ディスクにおいて収差が無いとした際の値でなく、当該光ディスクの規格における上限値または下限値としてもよい。この場合、前記式１〜式４で算出した各調整ズレ率が小さいほど、当該光ディスクの規格における上限値または下限値に近い、つまり、標準的な状態（理想状態）からずれていると言えるので、調整ズレ率の小さい順に再調整を行えばよい。また、本実施例では、収差補正の調整についてＲＦ信号の振幅が最も大きい電圧を検出しているが、これに代えてＲＦ信号のＪＩＴ値が最も小さい値となるような電圧を検出してもよい。
【実施例２】
【００９６】
次に、本発明の第２の実施例を図１３を参照して説明する。なお、前述した第１の実施例と同一部分には、同一符号を付して説明を省略する。
【００９７】
本実施例は、ブロック構成は、第１の実施例と同様であるが、セットアップ動作が若干異なる。本実施例ではブロードと検出された調整項目を最後に行うよう調整順序を入れ替えて実行し、ブロードと検出された調整項目が複数の場合は、調整ズレ率の大きい調整項目を先に実施する。したがって、ステップＳ１〜Ｓ３１までは図１１および図１２に示したフローチャートと同様である。図１３には本実施例における第１の実施例との変更部分（図１２に相当する部分）のみのフローチャートを示す。
【００９８】
図１３のフローチャートは、上述したようにステップＳ２４〜Ｓ３１までは第１の実施例と同様であるので説明は省略する。ステップＳ３２´は、ブロードと検出された複数の調整項目を、ブロードと検出されない調整項目の後に行う。その際に、ブロードと検出された調整項目のうち調整ズレ率の大きい順に行うように順序を入れ替えて再調整してステップＳ２３に戻る。例えば、ＲＡＤとＡＳ０がブロードと検出され、ＲＡＤの方が調整ズレ率が大きい場合は、ＡＳ４５、ＴＡＮ、ＲＡＤ、ＡＳ０の順に再調整を行う。
【００９９】
ステップＳ３３´は、ブロードになっている調整項目を最後に行うように調整の順序を入れ替えて再調整してステップＳ２３に戻る。例えば、ＲＡＤがブロードと検出された場合は、ＡＳ０、ＡＳ４５、ＴＡＮ、ＲＡＤの順に再調整を行う。すなわち、複数の調整項目全てを調整手段に再調整させるとともに、変化量が予め定めた所定の範囲内であった調整項目は最後に調整させている。
【０１００】
本実施例によれば、光ディスク装置１において、セットアップ時の液晶パネル８による収差補正値の調整動作を行う際に、一度ＲＡＤ、ＡＳ０、ＡＳ４５、ＴＡＮの調整を行った後に、それらの調整結果のうちブロードになっている調整項目を検出し、ブロードになっている調整項目を最後に調整しているので、ブロードになっている、すなわち、ＲＦレベルが殆ど変化しないような調整項目は信憑性が低いと判断して、調整の信憑性の高い調整項目を先に再調整した後に信憑性の低い調整項目を再調整するので、信憑性の高い調整項目が信憑性の低い調整項目に影響されること無く再調整することができ、再調整の回数を最小限にし、プレイアビリティの向上を図ることができる。
【実施例３】
【０１０１】
次に、本発明の第３の実施例を図１４を参照して説明する。なお、前述した第１、第２の実施例と同一部分には、同一符号を付して説明を省略する。
【０１０２】
本実施例は、ブロック構成は、第１、第２の実施例と同様であるが、セットアップ動作が若干異なる。本実施例では各調整項目の調整ズレ率を算出し、調整ズレ率の大きい調整項目を先に実施する。したがって、ステップＳ１〜Ｓ２５までは図１１および図１２に示したフローチャートと同様である。図１４には本実施例における第１の実施例との変更部分（図１２に相当する部分）のみのフローチャートを示す。
【０１０３】
図１３のフローチャートは、上述したようにステップＳ２４〜Ｓ２５までは第１の実施例と同様であるので説明は省略する。ステップＳ２４でＩＤが取得できない場合（ＮＯの場合）に進んだステップＳ４０では、ＲＡＤのズレ率を算出してステップＳ４１に進む。ＲＡＤのズレ率は前記式１で算出する。
【０１０４】
次に、ステップＳ４１において、ＡＳ０のズレ率を算出してステップＳ４２に進む。ＡＳ０のズレ率は前記式２で算出する。
【０１０５】
次に、ステップＳ４２において、ＡＳ４５のズレ率を算出してステップＳ４３に進む。ＡＳ４５のズレ率は前記式３で算出する。
【０１０６】
次に、ステップＳ４３において、ＴＡＮのズレ率を算出してステップＳ４４に進む。ＴＡＮのズレ率は前記式４で算出する。
【０１０７】
次に、ステップＳ４４において、ステップＳ４０〜Ｓ４３で算出した各調整ズレ率の大小を比較して、ズレ率の大きい順に再調整を行ってステップＳ２３に戻る。すなわち、再生可否判断手段が光ディスクを正しく読み出せないと判断した場合に、調整手段が行った複数の調整項目の調整値と、予め定めた各調整項目ごとの基準値と、のズレ量を算出し、そのズレ量の大小に応じて複数の調整項目を再調整する順番を決定し、調整手段に再調整を行わせている。
【０１０８】
本実施例によれば、光ディスク装置１において、セットアップ時の液晶パネル８による収差補正値の調整動作を行う際に、一度ＲＡＤ、ＡＳ０、ＡＳ４５、ＴＡＮの調整を行った後に、調整ズレ率を算出して、ズレ率の大きい項目から再調整を行っているので、最適値から遠い調整となっている順に再調整を行うことができるので、他の調整項目が最適値からずれていることによる影響を少なくして、再調整の回数を最小限にし、プレイアビリティの向上を図ることができる。
【０１０９】
なお、上述した実施例では、コマ収差と非点収差の調整項目について説明したが、球面収差の調整項目を加えて、同様にブロード検出や調整ズレ率の算出を行ってから再調整を行っても良い。
【０１１０】
球面収差を補正するための液晶パネル８に追加する透明電極の例を図１５に示す。図１５に示した透明電極９０は、図７の透明電極８３または８４に重ねられるか、入れ替えられるように設けられ、対物レンズ１２の絞り径Ｆより小径な複数の同心円状の電極が設けられている。電極９１は、複数の電極のうち一番外側に設けられ、電極９２は電極９１の内周に設けられ、電極９３は電極９２の内周に設けられている。そして、図１６に示すように電極９１、９３に電圧５を印加し、電極９２に電圧６を印加することで、図１６の点線で示したような波面を、実線で示すようなフラットに近い波面として球面収差を補正することができる。
【０１１１】
前述した実施例によれば、以下の光ディスク装置と光ピックアップ３の収差調整方法と収差調整プログラムが得られる。
【０１１２】
（付記１）光源４と、光源４から出射された光を光ディスク２０に照射する対物レンズ１２と、対物レンズ１２が光ディスク２０に光を出射する際に発生する収差を補正する液晶パネル８と、光ディスク２０からの反射光を受光してＲＦ信号を生成する受光素子５およびＲＦＡＭＰ１５と、を備えた光ディスク装置１において、
前記収差を補正するために液晶パネル８における複数の調整項目の調整を行うマイコン１９と、
マイコン１９による調整によって光ディスク２０が正しく読み出せるか否かを判断するマイコン１９と、
マイコン１９が光ディスク２０を正しく読み出せないと判断した場合に、マイコン１９が調整した複数の調整項目のうち調整範囲内でのＲＦ信号の変化量が予め定めた所定の範囲内であった調整項目についてマイコン１９に再調整を行わせるマイコン１９と、
を備えたことを特徴とする光ディスク装置１。
【０１１３】
この光ディスク装置１によれば、調整時にＲＦ信号の値が殆ど変化しない場合は調整の最適値が得られていない信憑性が低い調整であると判断することができ、その調整項目の調整を再度行うことで、全ての調整項目の再調整を行うよりも再調整の回数を最小限にしてより短時間で調整を行うことができる。
【０１１４】
（付記２）光源４と、光源４から出射された光を光ディスク２０に照射する対物レンズ１２と、対物レンズ１２が光ディスク１２に光を出射する際に発生する収差を補正する液晶パネル８と、光ディスク２０からの反射光を受光してＲＦ信号を生成する受光素子５およびＲＦＡＭＰ１５と、を備えた光ディスク装置１において、
前記収差を補正するために液晶パネルにおける複数の調整項目の調整を行うマイコン１９と、
マイコン１９による調整によって光ディスク２０が正しく読み出せるか否かを判断するマイコン１９と、
マイコン１９が光ディスク２０が正しく読み出せないと判断した場合に、マイコン１９が行った複数の調整項目の調整値と、予め定めた各調整項目ごと基準値と、のズレ量を算出し、そのズレ量の大小に応じて複数の調整項目を再調整する順番を決定し、マイコン１９に再調整を行わせるマイコン１９と、
を備えたことを特徴とする光ディスク装置１。
【０１１５】
この光ディスク装置１によれば、最適値から遠い調整となっている順に再調整を行うことができるので、他の調整項目が最適値からずれていることによる影響を少なくして、再調整の回数を最小限にすることができる。
【０１１６】
（付記３）光源４から出射された光を光ディスク２０に照射するとともに、光ディスク２０に光を出射する際に発生する収差を液晶パネル８によって補正する光ピックアップ３の収差調整方法において、
前記収差を補正するために液晶パネル８における複数の調整項目の調整を行い、調整によって光ディスク２０が正しく読み出せるか否かを判断して、光ディスク２０が正しく読み出せないと判断した場合に、調整した複数の調整項目のうち調整範囲内でのＲＦ信号の変化量が予め定めた所定の範囲内であった調整項目について再調整を行うことを特徴とする光ピックアップ３の収差調整方法。
【０１１７】
この光ピックアップ３の収差調整方法によれば、調整時にＲＦ信号の値が殆ど変化しない場合は調整の最適値が得られていない信憑性が低い調整であると判断することができ、その調整項目の調整を再度行うことで、全ての調整項目の再調整を行うよりも再調整の回数を最小限にしてより短時間で調整を行うことができる。
【０１１８】
（付記４）光源４から出射された光を光ディスク２０に照射するとともに、光ディスク２０に光を出射する際に発生する収差を液晶パネル８によって補正する光ピックアップ３の収差調整方法において、
前記収差を補正するために液晶パネル８における複数の調整項目の調整を行い、調整によって光ディスク２０が正しく読み出せるか否かを判断して、光ディスク２０が正しく読み出せないと判断した場合に、調整した複数の調整項目の調整値と、予め定めた各調整項目ごと閾値と、のズレ量を算出し、そのズレ量の大小に応じて複数の調整項目を再調整する順番を決定し、再調整を行うことを特徴とする光ピックアップ３の収差調整方法。
【０１１９】
この光ピックアップ３の収差調整方法によれば、最適値から遠い調整となっている順に再調整を行うことができるので、他の調整項目が最適値からずれていることによる影響を少なくして、再調整の回数を最小限にすることができる。
【０１２０】
（付記５）光源４と、光源４から出射された光を光ディスク２０に照射する対物レンズ１２と、対物レンズ１２が光ディスク２０に光を出射する際に発生する収差を補正する液晶パネル８と、光ディスク２０からの反射光を受光してＲＦ信号を生成する受光素子５およびＲＦＡＭＰ１５と、を備えた光ディスク装置１のコンピュータを、
収差を補正するために液晶パネル８における複数の調整項目の調整を行うマイコン１９と、
マイコン１９による調整によって光ディスク２０が正しく読み出せるか否かを判断するマイコン１９と、
マイコン１９が光ディスク２０を正しく読み出せないと判断した場合に、マイコン１９が調整した複数の調整項目のうち調整範囲内でのＲＦ信号の変化量が予め定めた所定の範囲内であった調整項目についてマイコン１９に再調整を行わせるマイコン１９と、
して機能させることを特徴とする収差調整プログラム。
【０１２１】
この収差調整プログラムによれば、調整時にＲＦ信号の値が殆ど変化しない場合は調整の最適値が得られていない信憑性が低い調整であると判断することができ、その調整項目の調整を再度行うことで、全ての調整項目の再調整を行うよりも再調整の回数を最小限にしてより短時間で調整を行うことができる。
【０１２２】
（付記６）光源４と、光源４から出射された光を光ディスク２０に照射する対物レンズ１２と、対物レンズ１２が光ディスク２０に光を出射する際に発生する収差を補正する液晶パネル８と、光ディスク２０からの反射光を受光してＲＦ信号を生成する受光素子５およびＲＦＡＭＰ１５と、を備えた光ディスク装置１のコンピュータを、
収差を補正するために液晶パネル８における複数の調整項目の調整を行うマイコン１９と、
マイコン１９による調整によって光ディスク２０が正しく読み出せるか否かを判断するマイコン１９と、
マイコン１９が光ディスク２０を正しく読み出せないと判断した場合に、マイコン１９が行った複数の調整項目の変化量が予め定めた所定の範囲内であった調整項目が複数あった場合は、マイコン１９が行った複数の調整項目の調整値と、予め定めた各調整項目ごと閾値と、のズレ量を算出し、そのズレ量の大小に応じて複数の調整項目を再調整する順番を決定し、マイコン１９に再調整を行わせるマイコン１９と、
して機能させることを特徴とする収差調整プログラム。
【０１２３】
この光ピックアップ３の収差調整方法によれば、最適値から遠い調整となっている順に再調整を行うことができるので、他の調整項目が最適値からずれていることによる影響を少なくして、再調整の回数を最小限にすることができる。
【０１２４】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【０１２５】
１        光ディスク装置（光ピックアップの収差調整装置）
３        光ピックアップ
４        光源
５        受光手段（受光素子）
８        液晶パネル（液晶素子）
１２      対物レンズ
１５      ＲＦＡＭＰ（受光素子）
１９      マイコン（調整手段、再生可否判断手段、再調整制御手段）
２０      光ディスク
【図１】
2010277636.tif 000003
【図２】
2010277636.tif 000004
【図３】
2010277636.tif 000005
【図４】
2010277636.tif 000006
【図５】
2010277636.tif 000007
【図６】
2010277636.tif 000008
【図７】
2010277636.tif 000009
【図８】
2010277636.tif 000010
【図９】
2010277636.tif 000011
【図１０】
2010277636.tif 000012
【図１１】
2010277636.tif 000013
【図１２】
2010277636.tif 000014
【図１３】
2010277636.tif 000015
【図１４】
2010277636.tif 000016
【図１５】
2010277636.tif 000017
【図１６】
2010277636.tif 000018